(57)【要約】【課題】誤差が生じやすい箇所でも部材を本体部に容易に取り付けることができるパネルフレーム固定構造を提供する。【解決手段】このパネルフレーム固定構造においては、パネルフレームとしての腰壁パネルフレーム１および部材としてのコーナー部材２が接合金物（本体部）３に支持される。上記コーナー部材２には、上記接合金物３に設けられたピン部材（第１凸部材）４に接触して上記接合金物３の方向に上記コーナー部材２を誘導するガイドスペーサー付きの第１係合部２１と、上記ピン部材４よりも上側に位置する締結部材（第２凸部材）５に接触して上記接合金物３の方向に上記コーナー部材２を誘導するガイドスペーサー付きの第２係合部２２とが設けられている。【選択図】図５
2015067977.tif 000002
【特許請求の範囲】
【請求項１】
パネルフレームおよび部材が本体部に支持される構造であって、上記部材には、上記本体部に設けられた第１凸部材に接触して上記本体部の方向に上記部材を誘導するガイド付きの第１係合部と、上記第１凸部材よりも上側に位置する第２凸部材に接触して上記本体部の方向に上記部材を誘導するガイド付きの第２係合部とが設けられていることを特徴とするパネルフレーム固定構造。
【請求項２】
請求項１に記載のパネルフレーム固定構造において、上記第１凸部材が上記第１係合部に係合して上記部材を支持し、上記第２凸部材は上記第２係合部に遊嵌状に係合することを特徴とするパネルフレーム固定構造。
【請求項３】
請求項１または請求項２に記載のパネルフレーム固定構造において、上記第１凸部材はピン部材であり、上記第２凸部材は締結部材であることを特徴とするパネルフレーム固定構造。
【請求項４】
請求項１〜請求項３のいずれか１項に記載のパネルフレーム固定構造において、上記第１係合部は下向きに挿入口を有する切欠き部を有し、上記第２係合部は開口部を有することを特徴とするパネルフレーム固定構造。
【請求項５】
請求項１〜請求項４のいずれか１項に記載のパネルフレーム固定構造において、上記ガイドは上記本体部と上記部材との間のスペーサーをなすことを特徴とするパネルフレーム固定構造。
【請求項６】
請求項１〜請求項５のいずれか１項に記載のパネルフレーム固定構造において、上記本体部は建物の躯体に固定された接合金物であり、上記部材は建物の外壁の一部を構成することを特徴とするパネルフレーム固定構造。
【請求項７】
請求項１〜請求項６のいずれか１項に記載のパネルフレーム固定構造において、上記部材は壁のコーナー部材であり、隣接される２枚の壁パネルフレームの縦フレームに対向する２面の各々に上記第１係合部および上記第２係合部を有し、各々の面の側に上記本体部が位置していることを特徴とするパネルフレーム固定構造。
【発明の詳細な説明】
【技術分野】
【０００１】
この発明は、パネルのフレームを躯体等に固定するパネルフレーム固定構造に関する。
【背景技術】
【０００２】
特許文献１には、壁面を形成する壁パネルと壁パネルがコーナーパネルを介して接続されるバルコニーのコーナーパネル接続構造であって、コーナーパネルと当接する壁パネルの端部には、断面略Ｕ字形状になされた受け具が取り付けられ、前記コーナーパネルは型材で成形され、型材の断面形状は両端部が略直交するようになされ、端部には壁パネルとそれぞれ当接する壁パネル当接面が形成され、前記コーナーパネルが前記壁パネル当接面で前記受け具を介して壁パネルに接続されている構造が開示されている。
【先行技術文献】
【特許文献】
【０００３】
【特許文献１】特開２００１−１３２０９０号公報
【発明の概要】
【発明が解決しようとする課題】
【０００４】
ところで、バルコニーにおいては、コーナー部の施工は最後の工程となることが多い。このため、上記コーナー部に全体の誤差が集約されてしまい、上記コーナー部でのボルトの取り付け等に支障をきたし、施工に時間がかかることがあった。そして、上記従来の技術は、これを解決できるものではなかった。
【０００５】
この発明は、上記の事情に鑑み、誤差が生じやすい箇所でも部材を本体部に容易に取り付けることができるパネルフレーム固定構造を提供することを課題とする。
【課題を解決するための手段】
【０００６】
この発明のパネルフレーム固定構造は、上記の課題を解決するために、パネルフレームおよび部材が本体部に支持される構造であって、上記部材には、上記本体部に設けられた第１凸部材に接触して上記本体部の方向に上記部材を誘導するガイド付きの第１係合部と、上記第１凸部材よりも上側に位置する第２凸部材に接触して上記本体部の方向に上記部材を誘導するガイド付きの第２係合部とが設けられていることを特徴とする。
【０００７】
上記の構成であれば、上記本体部に上記部材を取り付けようとするときに、ガイド付きの上記第１係合部および上記第２係合部により、上記本体部の方向に上記部材が誘導されるので、誤差が生じやすい箇所であっても、上記本体部に上記部材を取り付けることが可能になる。
【０００８】
上記第１凸部材が上記第１係合部に係合して上記部材を支持し、上記第２凸部材は上記第２係合部に遊嵌状に係合してもよい。これによれば、作業完成までに上記第１凸部材で上記部材の支持（仮固定）が行われつつ上記部材の上部側での位置合わせの自由度が確保され、例えば最上部を固定するときでも、ある程度の位置調整ができるので、施工が容易になる。
【０００９】
上記第１凸部材はピン部材であり、上記第２凸部材は締結部材であってもよい。また、上記第１係合部は下向きに挿入口を有する切欠き形状を有し、上記第２係合部は開口形状を有してもよい。また、上記ガイドは上記本体部と上記部材との間のスペーサーとなるようにしてもよい。また、上記本体部は建物の躯体に固定された接合金物であり、上記部材は建物の外壁の一部を構成してもよい。
【００１０】
上記部材は壁のコーナー部材であり、隣接される２枚の壁パネルフレームの縦フレームに対向する２面の各々に上記第１係合部および上記第２係合部を有し、各々の面の側に上記本体部が位置していてもよい。これによれば、上記コーナー部材が一方の縦フレームから遠ざかる方向に倒れようとしても他方の縦フレーム側で上記第１凸部材および上記第２凸部材が上記ガイドに接触し、倒れが防止される。上記コーナー部材が他方の縦フレームから遠ざかる方向に倒れようとする場合も同様に倒れが防止される。
【発明の効果】
【００１１】
本発明であれば、誤差が生じやすい箇所でも部材を本体部に容易に取り付けることができる。また、第２凸部材が第２係合部に遊嵌状に係合する構成であれば、ある程度の位置調整ができるので、施工が容易になる。また、本体部にコーナー部材が設けられる構成であれば、作業中のコーナー部材の倒れを防止できる。
【図面の簡単な説明】
【００１２】
【図１】本発明の実施形態にかかるバルコニーの出隅を構成する腰壁パネルフレーム固定構造を示した説明図である。
【図２】図１の腰壁パネルフレーム固定構造のＡ−Ａ矢視の概略断面図（ハッチングを省略している）である。
【図３】同図（Ａ）は図１の腰壁パネルフレーム固定構造の第１係合部を拡大して示した説明図であり、同図（Ｂ）は第２係合部を拡大して示した説明図である。
【図４】図１の腰壁パネルフレーム固定構造の本体部とコーナー部材とを示した説明図である。
【図５】図１のバルコニーのコーナー部以外の構造例を示した説明図である。
【発明を実施するための形態】
【００１３】
以下、この発明の実施の形態を添付図面に基づいて説明する。
この実施形態のパネルフレーム固定構造は、例えば、バルコニー腰壁のコーナー部となる出隅部において構築されている。
【００１４】
図１および図２に示すように、このパネルフレーム固定構造においては、パネルフレームとしての腰壁パネルフレーム１および部材としてのコーナー部材２が本体部としての接合金物３に支持される。上記コーナー部材２には、上記接合金物３に設けられたピン部材（第１凸部材）４に接触して上記接合金物３の方向に上記コーナー部材２を誘導するガイドスペーサー付きの第１係合部２１と、上記ピン部材４よりも上側に位置する締結部材（第２凸部材）５に接触して上記接合金物３の方向に上記コーナー部材２を誘導するガイドスペーサー付きの第２係合部２２とが設けられている。
【００１５】
上記接合金物３は、躯体側プレート３１とこの躯体側プレート３１に直交して外向きに張り出すように縦配置で例えば溶接により接合された取付側プレート３２とからなる。上記接合金物３は、上記躯体側プレート３１によってバルコニーの柱部（ジョイントボックス）６の下部側に固定される。この固定は、例えば上記躯体側プレート３１に２列で合計４個の貫通孔が形成され、各貫通孔から挿通された皿頭ボルトが柱部６の螺子穴に螺合されることで行われる。また、コーナー部では、上記柱部６の外側の隣り合う２面の各々に上記接合金物３が固定される。また、上記柱部６の内側の隣り合う２面の各々に建物の躯体をなす梁７の端部が例えば溶接によって固定される。
【００１６】
上記ピン部材４および上記締結部材５は、上記接合金物３の上記取付側プレート３２に取り付けられている。上記ピン部材４は螺子部の両端にピンが形成された形状を有しており、上記取付側プレート３２の下部側に形成された螺子孔に上記螺子部が螺合されて設けられる。上記ピン部材４の一方のピンは、腰壁パネルフレーム１の縦フレーム１１の下部に形成された下向きに挿入口を有する切欠き１１ａに係合している。
【００１７】
また、上記締結部材５は例えばボルトとナットからなり、上記ピン部材４よりも上側に形成された貫通孔３２ａに挿通される。上記腰壁パネルフレーム１の縦フレーム１１には装着孔１１ｂが形成されており、この装着孔１１ｂと上記貫通孔３２ａに通された上記締結部材５によって上記腰壁パネルフレーム１が上記取付側プレート３２に固定される。この実施形態では、上記ナットが上記コーナー部材２の側に位置する。
【００１８】
上記柱部６は四角柱状を有する。そして、上記コーナー部材２は、上記柱部６の外側の角を収容するように凹角部を有し、この凹角部を挟む２面の各々が上記取付側プレート３２に対向するように配置される。また、上記コーナー部材２は、この実施形態では、上記凹部を有する側である横断面が略Ｗ形状（図１の二点鎖線参照）の第１曲げ板部と、横断面が山形鋼形状の第２曲げ部材とが螺子により固定されてなり、上端には上部プレート２ａが溶接され、下端には下部プレート２ｂが溶接されてなる。
【００１９】
上記第１係合部２１は、図３（Ａ）にも示すように、ガイドスペーサー２１ａと下向きに挿入口を有する切欠き２１ｂとからなる。上記ガイドスペーサー２１ａは、例えば溶接によって上記コーナー部材２に固定されている。上記ガイドスペーサー２１ａは、下側ほど上記接合金物３に近づく傾斜面を有しており、この傾斜面に上記ピン部材４の他方のピンが接触するようになっている。また、上記傾斜面の上端部に形成された水平部に上記他方のピンが接触し、当該ピン部材４によってコーナー部材２が支持される。上記ガイドスペーサー２１ａの厚みは、上記締結部材５のナットの厚みよりも少し厚くされる。また、上記切欠き２１ｂの箇所には上記下部プレート２ｂは位置しておらず、上記切欠き２１ｂに下から上記ピン部材４の他方のピンが係合することを妨げない。
【００２０】
上記第２係合部２２は、図３（Ｂ）にも示すように、ガイドスペーサー２２ａと四角形の開口部２２ｂとからなる。上記ガイドスペーサー２２ａは、上記開口部２２ｂの上部の片側（上記接合金物３側）に例えば溶接によって固定されている。上記ガイドスペーサー２２ａは、下側ほど上記接合金物３に近づく傾斜面を有している。上記ガイドスペーサー２１ａの厚みは、上記締結部材５のナットの厚みよりも少し厚くされる。上記第２係合部２２は、上記締結部材５のナットの大きさよりも大きな開口を形成しており、上記締結部材５のナットが遊嵌状に係合する。
【００２１】
図４に示すように、上記コーナー部材２は上記柱部６の外側の角の側から近づけられて装着される。この装着の前の段階で、上記柱部６の外側の隣り合う２面の各々において上記取付側プレート３２に上記腰壁パネルフレーム１を取り付けておく。そして、上記コーナー部材２は、上記柱部６に対し少し上の側から装着されるときに、上記柱部６の外側の隣り合う２面の各々において、上記第１係合部２１に上記ピン部材４のピンが係合し、上記第２係合部２２に上記締結部材５のナットが係合する。この係合状態は、図示しないコーナーカバーを頭つなぎ９（図１参照）で固定するまでの上記コーナー部材２の倒れ止めとなる。
【００２２】
なお、上記コーナー部以外では、同一平面内で隣り合う２枚の腰壁パネルフレーム１は、例えば、図５に示すように、上記梁７の上下フランジに固定された固定板８に取り付けられる。具体的には、上記固定板８は、躯体側プレート８１とこの躯体側プレート８１に直交して外向きに張り出すように縦配置で例えば溶接により接合された取付側プレート８２とからなる。そして、上記腰壁パネルフレーム１は、上記縦フレーム１１の下端の切欠き１１ａに係合されたピン４１により支持される。また、上記ピン４１よりも上側に形成された貫通孔８２ａおよび上記縦フレーム１１に形成された装着孔１１ｂにボルトとナットが取り付けられ、隣り合う２枚の腰壁パネルフレーム１が上記取付側プレート８２に固定される。
【００２３】
上記の構成であれば、上記接合金物３に上記コーナー部材２を取り付けようとするときに、ガイド付きの上記第１係合部２１および上記第２係合部２２により、上記接合金物３の方向に上記コーナー部材２が誘導されるので、誤差が生じやすい箇所であっても、上記接合金物３に上記コーナー部材２を取り付けることが可能になる。
【００２４】
第１凸部材である上記ピン部材４が上記第１係合部２１によって上記コーナー部材２を支持し、上記第２凸部材である上記締結部材５は上記第２係合部２２に遊嵌状に係合すると、作業完成までに上記第１凸部材で上記部材の支持（仮固定）が行われつつ上記部材の上部側での位置合わせの自由度が確保され、例えば最上部を固定するときでも（例えば、コーナーカバー固定）、ある程度の位置調整ができるので、施工が容易になる。
【００２５】
また、上記ガイドスペーサー２１ａ、２２ａによってスペーサーの機能が発揮されると、上記腰壁パネルフレーム１と上記コーナー部材２との間に規定寸法の間隙を確実に形成することができる。
【００２６】
また、上記コーナー部材２が一方の腰壁パネルフレーム１の縦フレーム１１から遠ざかる方向に倒れようとしても他方の腰壁パネルフレーム１の縦フレーム１１側で上記ピン部材４および上記締結部材５が上記ガイドスペーサー２１ａ、２２ａに接触し、倒れが防止される。また、上記コーナー部材２が他方の腰壁パネルフレーム１の縦フレーム１１から遠ざかる方向に倒れようとする場合も同様に倒れが防止される。
【００２７】
以上、図面を参照してこの発明の実施形態を説明したが、この発明は、図示した実施形態の壁構造に限定されない。図示した実施形態に対して、この発明と同一の範囲内において、あるいは均等の範囲内において、種々の修正や変形を加えることが可能である。
【符号の説明】
【００２８】
１      腰壁パネルフレーム（パネルフレーム）
１１    縦フレーム
２      コーナー部材（部材）
２１    第１係合部
２１ａ  ガイドスペーサー
２１ｂ  切欠き
２２ａ  ガイドスペーサー
２２ｂ  開口
３      接合金物（本体）
３１    躯体側プレート
３２    取付側プレート
４      ピン部材（第１凸部材）
５      締結部材（第２凸部材）
【図１】
2015067977.tif 000003
【図２】
2015067977.tif 000004
【図３】
2015067977.tif 000005
【図４】
2015067977.tif 000006
【図５】
2015067977.tif 000007